(57)【要約】【課題】器具本体にかかる荷重を減らして器具本体の傾き等の不具合の発生を防止する。【解決手段】蓄電池収納部１３を鉛直方向に回動自在として器具本体１に取り付け、蓄電池収納部１３の下端部（当接部１３ａ）を天井板７の上面に当接させる。これにより、器具本体１だけでなく天井板７でも蓄電池収納部１３を支持することができる。その結果、ランプ６の高出力化に伴う点灯装置１１や蓄電池の重量増加があっても、器具本体１にかかる荷重を減らして器具本体１の傾きを防ぎ、枠体４と天井板７との間に隙間が生じる等の不具合の発生を防止することができる。【選択図】　　　　図１
2004039304.tif 000002
【特許請求の範囲】
【請求項１】
天井に設けられる埋込孔に埋込配設され、停電の際に蓄電池を電源としてランプを点灯させる埋込型非常用照明器具であって、ランプが着脱自在に装着されるソケット、並びに天井への取付手段を具備する器具本体と、蓄電池と、少なくとも蓄電池を電源としてランプを点灯させる点灯装置と、点灯装置を内部に収納するとともに一端部を支点に天井と略垂直な方向に回動自在として器具本体に枢支される点灯装置収納部と、蓄電池を内部に収納し一端部が器具本体に取り付けられる蓄電池収納部と、該一端部を支点に天井と略垂直な方向に回動自在として蓄電池収納部を器具本体に着脱自在に取り付ける取付手段とを備えたことを特徴とする埋込型非常用照明器具。
【請求項２】
取付手段は、器具本体又は蓄電池収納部に設けられる係止部と、蓄電池収納部又は器具本体に設けられて係止部が係止される被係止部とからなることを特徴とする請求項１記載の埋込型非常用照明器具。
【請求項３】
係止部は突条片からなり、被係止部は突条片が挿入係止される係止溝からなることを特徴とする請求項２記載の埋込型非常用照明器具。
【請求項４】
係止部は天井と略平行に突出する１乃至複数の突起からなり、被係止部は各突起が挿入係止される係止孔からなることを特徴とする請求項２記載の埋込型非常用照明器具。
【請求項５】
被係止部は一端側が係止孔と連通されるとともに他端側が開口されて突起を係止孔に案内する案内溝を有することを特徴とする請求項４記載の埋込型非常用照明器具。
【請求項６】
案内溝の開口は、蓄電池収納部を器具本体に取り付ける際に蓄電池収納部の一端部を器具本体の高さよりも高くしないで突起が挿入可能な位置に設けられたことを特徴とする請求項５記載の埋込型非常用照明器具。
【請求項７】
取付手段は、一端部を支点に天井と略平行な方向に回動自在として蓄電池収納部を器具本体に着脱自在に取り付けることを特徴とする請求項１記載の埋込型非常用照明器具。
【請求項８】
取付手段は、先端に外鍔を有し後端が器具本体又は蓄電池収納部に固定されるとともに該固定面と外鍔の間に隙間が形成された突部と、蓄電池収納部又は器具本体に設けられ突部が挿入されるとともに外鍔で抜け止めされる孔部とからなることを特徴とする請求項７記載の埋込型非常用照明器具。
【請求項９】
孔部は、外鍔の外径よりも大きい内径を有する大径部と、外鍔の外径よりも小さい内径を有して大径部と連通する小径部とからなることを特徴とする請求項８記載の埋込型非常用照明器具。
【請求項１０】
点灯装置収納部は、少なくとも天井と垂直な方向において互いに異なる複数の位置の何れかで器具本体に枢支されることを特徴とする請求項１〜９の何れかに記載の埋込型非常用照明器具。
【発明の詳細な説明】
【０００１】
【発明の属する技術分野】
本発明は、天井に設けられる埋込孔に埋込配設され、停電の際に蓄電池を電源としてランプを点灯させる埋込型非常用照明器具に関するものである。
【０００２】
【従来の技術】
常時には商用電源で蓄電池を充電しておき、停電時に蓄電池を電源としてランプを点灯させる非常用照明器具のうち、天井に設けられる埋込孔に埋込配設される埋込型非常用照明器具が従来より提供されている。この種の照明器具においては、建築物の構造体（天井スラブ等）と天井板の間に形成される空間（天井裏）に器具本体が配置され、しかも、天井裏には空調ダクトなどが配設されるために、特に高さ方向に充分なスペースを確保することが難しい場合が多い。したがって、ランプを点灯する点灯装置や蓄電池をソケットや反射板などとともに高さ方向に積み重ねるように器具本体に収納するのではなく、点灯装置や蓄電池が器具本体の側方へ配設された種々の埋込型非常用照明器具が提供されている。
【０００３】
例えば、図１９に示す埋込型非常用照明器具（以下、「従来例１」と呼ぶ）は、ランプが着脱自在に装着されるソケット（図示せず）や下面が開口する有底筒状に形成されてランプの光を下方へ反射させる反射板３１などを有する器具本体３０と、器具本体３０の天面に取り付けられる常時点灯装置３２と、天井板７の上に載置される金属箱３３の中に収納され、フレキシブルパイプ３４で保護された電線により常時点灯装置３２と接続された非常点灯装置及び蓄電池とを備えている。ここで、常時点灯用装置３２は常時（非停電時）において商用電源から電源供給を受けてランプを点灯するものであり、非常点灯装置は商用電源の停電を検出すると蓄電池を電源としてランプを点灯するものである。
【０００４】
一方、図２０及び図２１に示す埋込型非常用照明器具（以下、それぞれを「従来例２」「従来例３」と呼ぶ）は、常時点灯装置と非常点灯装置を内部に収納した点灯装置収納部４１を器具本体４０の側方に取り付けるとともに、蓄電池を収納した蓄電池収納部４２を同じく点灯装置収納部４１と反対側の器具本体４０の側方に取り付けるようにしたものであって、従来例２ではランプ６’の点灯方向を垂直方向とし、従来例３ではランプ６’の点灯方向を水平方向としている。ここで、点灯装置収納部４１の一端部には軸支部４１ａが設けられ、この軸支部４１ａによって天井と垂直な方向（鉛直方向）に回動自在として点灯装置収納部４１が器具本体４０に取り付けられており、点灯装置収納部４１の他端側に突出する支持部４３（従来例２）あるいは点灯装置収納部４１の下端（従来例３）が天井板７に当接させてある。つまり、点灯装置収納部４１には常時点灯装置及び非常点灯装置が収納されているために重量が大きくなっているから、点灯装置収納部４１を器具本体４０のみで支持した場合に器具本体４０が天井板７に対して傾くなどの不具合が生じる虞があることから、上述のように支持部４３や点灯装置収納部４１の下端を天井板７に当接させることで点灯装置収納部４１による荷重を天井板７に逃がして器具本体４０にかかる荷重を減らすようにしている。なお、従来例２及び従来例３において、蓄電池収納部４２の重量はそれほど大きいものではないため、蓄電池収納部４２の一端側が器具本体４０に固定されて器具本体４０のみで支持されている。
【０００５】
【発明が解決しようとする課題】
ところで、最近では従来よりも高出力のランプを使用する埋込型非常用照明器具への要望が高まってきているが、ランプの高出力化に伴って蓄電池から供給すべき電力も増大することになり、蓄電池収納部４２に収納される蓄電池の数（セル数）が増加して重量が増えることになる。その結果、従来例２及び従来例３のように器具本体４０のみで蓄電池収納部４２の重量を支える構造では、器具本体４０が天井板７に対して傾くなどの不具合が生じてしまう。なお、従来例１では蓄電池を収納した金属箱３３が天井板７の上に載置されているから上述のような器具本体３０の傾きは生じないが、例えば、蓄電池を交換する際に金属箱３３に一緒に収納されている非常点灯装置を電池交換の作業者が取り扱うこととなり、作業に手間がかかるとともに配線が外れるというような故障につながる虞がある。
【０００６】
本発明は上記事情に鑑みて為されたものであり、その目的は、器具本体にかかる荷重を減らして器具本体の傾き等の不具合の発生を防止した埋込型非常用照明器具を提供することにある。
【０００７】
【課題を解決するための手段】
請求項１の発明は、上記目的を達成するために、天井に設けられる埋込孔に埋込配設され、停電の際に蓄電池を電源としてランプを点灯させる埋込型非常用照明器具であって、ランプが着脱自在に装着されるソケット、並びに天井への取付手段を具備する器具本体と、蓄電池と、少なくとも蓄電池を電源としてランプを点灯させる点灯装置と、点灯装置を内部に収納するとともに一端部を支点に天井と略垂直な方向に回動自在として器具本体に枢支される点灯装置収納部と、蓄電池を内部に収納し一端部が器具本体に取り付けられる蓄電池収納部と、該一端部を支点に天井と略垂直な方向に回動自在として蓄電池収納部を器具本体に着脱自在に取り付ける取付手段とを備えたことを特徴とする。
【０００８】
請求項２の発明は、請求項１の発明において、取付手段は、器具本体又は蓄電池収納部に設けられる係止部と、蓄電池収納部又は器具本体に設けられて係止部が係止される被係止部とからなることを特徴とする。
【０００９】
請求項３の発明は、請求項２の発明において、係止部は突条片からなり、被係止部は突条片が挿入係止される係止溝からなることを特徴とする。
【００１０】
請求項４の発明は、請求項２の発明において、係止部は天井と略平行に突出する１乃至複数の突起からなり、被係止部は各突起が挿入係止される係止孔からなることを特徴とする。
【００１１】
請求項５の発明は、請求項４の発明において、被係止部は一端側が係止孔と連通されるとともに他端側が開口されて突起を係止孔に案内する案内溝を有することを特徴とする。
【００１２】
請求項６の発明は、請求項５の発明において、案内溝の開口は、蓄電池収納部を器具本体に取り付ける際に蓄電池収納部の一端部を器具本体の高さよりも高くしないで突起が挿入可能な位置に設けられたことを特徴とする。
【００１３】
請求項７の発明は、請求項１の発明において、取付手段は、一端部を支点に天井と略平行な方向に回動自在として蓄電池収納部を器具本体に着脱自在に取り付けることを特徴とする。
【００１４】
請求項８の発明は、請求項７の発明において、取付手段は、先端に外鍔を有し後端が器具本体又は蓄電池収納部に固定されるとともに該固定面と外鍔の間に隙間が形成された突部と、蓄電池収納部又は器具本体に設けられ突部が挿入されるとともに外鍔で抜け止めされる孔部とからなることを特徴とする。
【００１５】
請求項９の発明は、請求項８の発明において、孔部は、外鍔の外径よりも大きい内径を有する大径部と、外鍔の外径よりも小さい内径を有して大径部と連通する小径部とからなることを特徴とする。
【００１６】
請求項１０の発明は、請求項１〜９の何れかの発明において、点灯装置収納部は、少なくとも天井と垂直な方向において互いに異なる複数の位置の何れかで器具本体に枢支されることを特徴とする。
【００１７】
【発明の実施の形態】
（実施形態１）
図１〜図４を参照して本実施形態を詳細に説明する。図１に示すように器具本体１は、金属板を加工してなる天板２、逆Ｌ字形に形成されて天板２から下方へ垂下された一対の主片３、主片３の下端に取り付けられた環状の枠体４、天板２に取り付けられてランプ６が着脱自在に装着されるソケット５を具備している。なお、本実施形態におけるランプ６はコンパクト形蛍光ランプ（ＪＩＳ　Ｃ７６０１参照）であって定格ランプ電力が２４Ｗ以上のもの（例えばＦＨＴ２４など）である。
【００１８】
主片３には長手方向（鉛直方向）にスライド溝３ａが形成されており、枠体４との間で天井板７を挟持して器具本体１を天井板７に取り付ける取付金具８が、スライド溝３ａに沿ってスライド自在に設けてある。なお、この取付金具８は従来周知の構造を有するものであるから、詳細については説明を省略する。また、ソケット５はランプ６の点灯方向を水平とする向きに配設されている。
【００１９】
天板２と一対の主片３と枠体４に囲まれた器具本体１の内部空間にはランプ６の光を枠体４の開口に向けて反射させる反射板９が配設される。この反射板９は、アルミ板のような反射率の高い金属板により下面が開口する有底筒状に形成され、ランプ６を内側に導入するための切り欠き（図示せず）が側面に設けられてなり、図示しない固定手段によって天板２の下面に底部が固定される。なお、天板２に固定された状態では反射板９の開口縁が枠体４の内周縁と嵌合して枠体４の開口が反射板９によって隙間無く塞がれることになる。
【００２０】
ところで、天板２のソケット５が取り付けられている側の端部には点灯装置収納部１０が配設されている。この点灯装置収納部１０は、金属板を加工して箱状に形成されており、内部には常時点灯装置や非常点灯装置などの点灯装置１１と、蓄電池を充電する充電装置とが収納されている。但し、常時点灯装置や非常点灯装置並びに充電装置の構成や動作については従来周知であるから図示並びに説明を省略する。また、点灯装置収納部１０は、器具本体１の天板２の端部に設けられた回動軸１２により天井板７と略垂直な方向（鉛直方向）で回動自在に枢支されている。なお、図示は省略しているが点灯装置収納部１０には商用電源と接続するための電線が接続される端子台が設けてあり、この端子台を介して点灯装置１１及び充電装置が商用電源と接続される。
【００２１】
一方、ソケット５を挟んで点灯装置収納部１０と対向する天板２の他端部には、蓄電池収納部１３が着脱自在に取り付けられる。この蓄電池収納部１３は金属板を加工して箱状に形成されており、非常時（停電時）に非常点灯装置へ電源を供給するための蓄電池（図示せず）が内部に収納されている。蓄電池はニッカド電池等の電池セルを組み合わせて構成されるものであって、例えばセル電圧が１．２Ｖ以上の電池セルが４個以上直列に接続されて構成されている。なお、図示は省略しているが、点灯装置収納部１０に収納されている充電装置から引き出された接続コードがコネクタにより蓄電池に接続される。
【００２２】
図２に示すように、蓄電池収納部１３の一端部には下方に垂下された取付片１４が設けられ、この取付片１４に係止孔１４ａが形成されている。また、一端が取付片１４の下端縁に開口し且つ他端が係止孔１４ａと連通した略鈎形の案内溝１４ｂが取付片１４に形成されている。
【００２３】
一方、天板２の他端部の両端からは前方に突出する突出片１５がそれぞれ設けられ、各突出片１５には上方に立ち上がる立ち上げ片１５ａが形成されている。さらに、立ち上げ片１５ａの中央には内向きに突出する円筒形の突起１６が取付ねじ１６ａによって取り付けられている。
【００２４】
而して、開口を通して突起１６を案内溝１４ｂに挿入し、案内溝１４ｂに沿って突起１６を係止孔１４ａに案内して簡単に係止させることができる。また、突起１６を係止孔１４ａに係止した状態においては、突起１６を支点に天井板７と略垂直な方向に回動自在として蓄電池収納部１３を器具本体１（天板２）に着脱自在に取り付けることができる（図２（ｂ）参照）。
【００２５】
このように構成される本実施形態の埋込型非常用照明器具を天井に埋込配設する施工手順について、図３を参照して説明する。
【００２６】
まず、図３（ａ）に示すようにランプ６、反射板９、蓄電池収納部１３を取り外した器具本体１を、点灯装置収納部１０を先にして埋込孔Ｈから天井裏（構造体Ｘと天井板７の間の空間）に挿入し、取付金具８によって器具本体１を天井板７に固定する。ここで、器具本体１を天井板７に固定した状態では、点灯装置収納部１０が自重により下方（図３（ａ）における反時計回り）に回動して下端部が天井板７の上面に当接することになる。つまり、器具本体１だけでなく天井板７でも点灯装置収納部１０を支持している。なお、器具本体１に対して点灯装置収納部１０を鉛直方向に回動自在としてから、様々な厚みの天井板７に対して点灯装置収納部１０の下端部を当接させることが可能である。
【００２７】
次に、図３（ｂ）に示すように蓄電池収納部１３を枠体４の開口（埋込孔Ｈ）を通して天井裏に挿入し、上述のように係止孔１４ａに突起１６を挿入係止することで蓄電池収納部１３を器具本体１に取り付ける。ここで、蓄電池収納部１３は器具本体１に対して鉛直方向に回動自在に取り付けてあるので、器具本体１に取り付けた状態では自重で下方（図３（ｃ）における時計回り）に回動し、端部から下方へ突設されている当接部１３ａが天井板７の上面に当接することになる。
【００２８】
続いて、図３（ｃ）に示すようにソケット５にランプ６を取り付けた後、図３（ｄ）に示すように反射板９を器具本体１に取り付けることで施工が完了する。なお、蓄電池を交換する場合には、反射板９及びランプ６を取り外した後に、蓄電池収納部１３を器具本体１から取り外せばよく、その際、係止孔１４ａに係止されている突起１６を案内溝１４ｂに沿って開口まで移動させることで簡単に取り外すことが可能である。
【００２９】
このように、蓄電池収納部１３を鉛直方向に回動自在として器具本体１に取り付け、蓄電池収納部１３の下端部（当接部１３ａ）を天井板７の上面に当接させ、点灯装置収納部１０と同様に器具本体１だけでなく天井板７でも支持するようにしているから、ランプ６の高出力化に伴う点灯装置１１や蓄電池の重量増加があっても、器具本体１にかかる荷重を減らして器具本体１の傾きを防ぎ、枠体４と天井板７との間に隙間が生じる等の不具合の発生を防止することができる。なお、器具本体１に対して蓄電池収納部１３が鉛直方向に回動自在であるから、様々な厚みの天井板７に対して当接部１３ａを当接させることが可能である（図１参照）。
【００３０】
なお、本実施形態では天板２の立ち上げ片１５ａにそれぞれ突起１６を取り付ける構造としたが、図４に示すように一対の立ち上げ片１５ａ間に棒状の軸１７を架橋し、この軸１７を取付片１４の係止孔１４ａに係止することで蓄電池収納部１３を器具本体１に取り付けるようにしてもよい。このような構造で有れば、各立ち上げ片１５ａに対する取付片１４の取付位置のばらつきが抑えられ、蓄電池収納部１３の施工後のがたつき等を防ぐことができる。
【００３１】
（実施形態２）
実施形態１における蓄電池収納部１３の取付構造では、器具本体１の突起１６を蓄電池収納部１３の案内溝１４ｂに挿入する際、図６（ａ）に示すように少なくとも取付片１４を突出片１５の上方へ移動させなければならないが、天井裏の高さ寸法（天井板７から構造体Ｘまでの距離）が低いために器具本体１の天板２と構造体Ｘとの距離がごく僅かしかない場合には、構造体Ｘに邪魔されて取付片１４を突出片１５の上方へ移動させることができず、突起１６を係止孔１４ａに係止することができない虞がある。
【００３２】
そこで本実施形態では、案内溝１４ｂの開口を、蓄電池収納部１３を器具本体１に取り付ける際に蓄電池収納部１３の取付片１４を器具本体１の高さよりも高くしないで突起１６が挿入可能な位置、例えば、突出片１５の前端縁に設けている（図５参照）。なお、これ以外の構成は実施形態１と共通であるから図示並びに説明は省略する。
【００３３】
而して、図６（ｂ）に示すように蓄電池収納部１３の取付片１４を器具本体１の高さよりも高くせずに案内溝１４ｂの開口に突起１６を挿入することができるから、器具本体１の天板２と構造体Ｘとの距離がごく僅かしかない場合でも突起１６を係止孔１４ａに係止させて蓄電池収納部１３を器具本体１に容易に取り付けることができる。
【００３４】
（実施形態３）
本実施形態は、蓄電池収納部１３を器具本体１に回動自在に取り付ける取付構造に特徴があり、それ以外の構造については実施形態１と共通であるから図示並びに説明を省略する。
【００３５】
図７に示すように、蓄電池収納部１３が取り付けられる天板２の端部には突出片１５の代わりに幅細のスリットからなる係止溝１８が設けられ、蓄電池収納部１３の端部には係止溝１８に挿入係止される突条片１９が取付片１４の代わりに設けられている。この突条片１９は、蓄電池収納部１３の端部を下方に折り曲げた折曲片１３ｂの先端縁をほぼ直角に下向きに折曲して形成されている。また、係止溝１８は突条片１９の板厚よりも若干大きい幅寸法に形成されている。
【００３６】
而して、蓄電池収納部１３の突条片１９を器具本体１の天板２に設けられた係止溝１８に挿入係止することで器具本体１に蓄電池収納部１３を着脱自在に取り付けることができる。また、係止溝１８の幅が突条片１９の板厚よりも若干大きくしてあるので、係止溝１８と突条片１９の間に隙間が生じることとなり、この隙間によって蓄電池収納部１３を鉛直方向に回動自在とすることが可能である（図７（ｂ）参照）。このように本実施形態では係止溝１８と突条片１９で取付手段を構成しているから、実施形態１や実施形態２に比較して取付手段の構成を簡素化し、部品点数を削減してコストダウンが図れるという利点がある。
【００３７】
（実施形態４）
本実施形態は、図８及び図９に示すように蓄電池収納部１３を天井板７と略垂直な方向だけでなく略平行な方向（水平方向）にも回動自在として器具本体１に取り付ける構成とした点に特徴がある。但し、これ以外の構成については実施形態１と共通であり、共通の構成要素には同一の符号を付して説明を省略する。
【００３８】
図１０に示すように、蓄電池収納部１３の端部に折り曲げ形成された折曲片１３ｂの先端部中央に先端に外鍔２１ａを有して下向きに突出する突部２０が設けられ、器具本体１の天板２には突部２０が抜け止め状態で挿入される孔部２２が設けられている点に本実施形態の特徴がある。この突部２０は、図１１に示すように折曲片１３ｂにバーリング等により下向きに突出する円筒状のフランジ２０ｂを有したねじ孔２０ａが設けられ、このねじ孔２０ａに下方からねじ２１を螺合させることで形成されており、ねじ２１の頭部が外鍔２１ａとなる。ここで、フランジ２０ｂによって外鍔２１ａと折曲片１３ｂとの間に隙間ｇが形成されており、この隙間ｇは天板２の厚みよりも大きい寸法に設定してある（図１１参照）。
【００３９】
一方、孔部２２は外鍔２１ａの外径よりも大きい大径部２２ａと、外鍔２１ａの外径よりも小さい内径を有して大径部２２ａと連通する長孔状の小径部２２ｂとからなる。すなわち、突部２０の外鍔２１ａを大径部２２ａに挿通した後に突部２０を小径部２２ｂに移動させることで孔部２２に対して突部２０を抜け止めすることができ、器具本体１に対して蓄電池収納部１３を簡単に取り付けることができる。そして、蓄電池収納部１３の突部２０を器具本体１の孔部２２に挿入した状態では、折曲片１３ｂと外鍔２１ａの間に形成された隙間ｇによって天井板７と略垂直な方向で蓄電池収納部１３が回動自在となり（図１２参照）、さらに突部２０を支点として天井板７に略平行な方向で蓄電池収納部１３が回動自在となる（図１３参照）。
【００４０】
このように蓄電池収納部１３を天井板７と略平行な方向で器具本体１に対して回動自在とすれば、天井裏に配設されている構造物（例えば、空調ダクトやその他の配管等）と蓄電池収納部１３との干渉を回避することができる。例えば、埋込型非常用照明器具を同じ天井に複数施工する場合、あるいは同様の外観を有する一般照明用の埋込型照明器具とともに同じ天井に複数施工する場合にランプの向きが不統一であると見栄えが良くないから、通常はランプの向きを揃えて施工する必要があるが、上記構造物が邪魔になって施工向きが制限されてしまう虞があった。しかしながら、本実施形態では蓄電池収納部１３を天井板７と略平行な方向で器具本体１に対して回動自在としたことで構造物との干渉を回避できるため、ランプ６の向きを揃えて施工することが容易に行えるという利点がある。
【００４１】
ところで、本実施形態では蓄電池収納部１３に突部２０を設けるとともに器具本体１の天板２に孔部２２を設けているが、図１４〜図１６に示すように、突部２０を器具本体１の天板２に設け、孔部２２を蓄電池収納部１３の折曲片１３ｂに設けても同様の作用効果を奏することはいうまでもない。
【００４２】
（実施形態５）
実施形態１〜４ではランプ６の点灯方向を水平方向としていたが、ランプ６にコンパクト形蛍光ランプを用いる場合には、ランプ形状の対称性から点灯方向を水平とするよりも垂直とする方が器具の配光を有効に活用でき、ひいては同程度の明るさを得るのに必要な器具の台数を削減することができる。一方、ランプ６の点灯方向を垂直とした場合、特に長手方向の寸法が比較的に短い点灯装置収納部１０の下端部が天井板７に届かなくなる虞がある。
【００４３】
そこで本実施形態では、少なくとも天井板７と垂直な方向において互いに異なる複数の位置の何れかで点灯装置収納部１０が器具本体１に枢支されるようにし、ランプの点灯方向が水平か垂直かによって点灯装置収納部が器具本体に枢支される位置を選択可能としており、この点に本実施形態の特徴がある。但し、これ以外の構成については実施形態１及び実施形態４と共通であるから、共通の構成要素には同一の符号を付して説明を省略する。
【００４４】
図１７及び図１８に示すように、点灯装置収納部１０の側板１０ａの長手方向一端側における短手方向両端部にそれぞれ回動軸１２を挿通する軸挿通孔１０ｂ，１０ｃが穿孔されている。これに対して器具本体１の天板２の両側縁から下方に垂設された受け板２ａの下端部には回動軸１２を固定する固定部（図示せず）が設けられている。よって、ランプ６の点灯方向を水平としたときには、図１７に示すように下側の軸挿通孔１０ｃに回動軸１２を挿通して器具本体の受け板２ａに固定し、ランプ６の点灯方向を垂直としたときには、図１８に示すように上側の軸挿通孔１０ｂに回動軸１２を挿通して器具本体の受け板２ａに固定するようにすれば、ランプ６の点灯方向が水平又は垂直の何れであっても点灯装置収納部１０の下端部を天井板７の上面に当接させることができ、図２０に示した従来例２のように点灯装置収納部４１の下部に別の部材（支持部４３）を設ける必要がなく、部品点数の削減が図れる。
【００４５】
【発明の効果】
請求項１の発明は、天井に設けられる埋込孔に埋込配設され、停電の際に蓄電池を電源としてランプを点灯させる埋込型非常用照明器具であって、ランプが着脱自在に装着されるソケット、並びに天井への取付手段を具備する器具本体と、蓄電池と、少なくとも蓄電池を電源としてランプを点灯させる点灯装置と、点灯装置を内部に収納するとともに一端部を支点に天井と略垂直な方向に回動自在として器具本体に枢支される点灯装置収納部と、蓄電池を内部に収納し一端部が器具本体に取り付けられる蓄電池収納部と、該一端部を支点に天井と略垂直な方向に回動自在として蓄電池収納部を器具本体に着脱自在に取り付ける取付手段とを備えたことを特徴とし、蓄電池収納部を器具本体から取り外せば器具本体を埋込孔に埋込配設する際に蓄電池収納部が邪魔になることが無く、埋込配設後に蓄電池収納部を取付手段にて器具本体に取り付ければ、蓄電池収納部が器具本体に取り付けられた一端部を支点として天井と略垂直な方向に回動し、蓄電池収納部の他端部が天井板に当接し、同様に、点灯装置収納部も器具本体に枢支された一端部を支点として天井と略垂直な方向に回動し、点灯装置収納部の他端部が天井板に当接することになる。その結果、ランプの高出力化に伴って点灯装置や蓄電池の重量が増大しても、点灯装置収納部のみならず蓄電池収納部の他端部を天井板に当接して支持させているため、器具本体にかかる荷重を減らして器具本体の傾き等の不具合の発生を防止することができる。また、点灯装置収納部及び蓄電池収納部は回動自在であるから様々な厚みの天井板に対応することができる。
【００４６】
請求項２の発明は、請求項１の発明において、取付手段は、器具本体又は蓄電池収納部に設けられる係止部と、蓄電池収納部又は器具本体に設けられて係止部が係止される被係止部とからなることを特徴とし、係止部を被係止部に係止することで器具本体に蓄電池収納部を容易に取り付けることができて施工作業の簡素化が図れ、同様に係止部と被係止部の係止を解くことで器具本体から蓄電池収納部を容易に取り外すことができて蓄電池の交換作業の簡素化が図れる。
【００４７】
請求項３の発明は、請求項２の発明において、係止部は突条片からなり、被係止部は突条片が挿入係止される係止溝からなることを特徴とし、係止部及び被係止部を簡単な構造で実現することができてコストダウンが図れる。
【００４８】
請求項４の発明は、請求項２の発明において、係止部は天井と略平行に突出する１乃至複数の突起からなり、被係止部は各突起が挿入係止される係止孔からなることを特徴とし、係止部及び被係止部を簡単な構造で実現することができてコストダウンが図れる。
【００４９】
請求項５の発明は、請求項４の発明において、被係止部は一端側が係止孔と連通されるとともに他端側が開口されて突起を係止孔に案内する案内溝を有することを特徴とし、開口を通して突起を案内溝に挿入し、案内溝に沿って突起を係止孔に案内することで係止部を被係止部に簡単に係止させることができて蓄電池収納部を器具本体に取り付ける作業が簡素化できる。
【００５０】
請求項６の発明は、請求項５の発明において、案内溝の開口は、蓄電池収納部を器具本体に取り付ける際に蓄電池収納部の一端部を器具本体の高さよりも高くしないで突起が挿入可能な位置に設けられたことを特徴とし、蓄電池収納部の一端部を器具本体の高さよりも高くせずに案内溝の開口に突起を挿入することができるから、器具本体の天面と構造体との距離がごく僅かしかない場合でも蓄電池収納部を器具本体に容易に取り付けることができる。
【００５１】
請求項７の発明は、請求項１の発明において、取付手段は、一端部を支点に天井と略平行な方向に回動自在として蓄電池収納部を器具本体に着脱自在に取り付けることを特徴とし、蓄電池収納部を器具本体に対して天井と略平行な方向に回動することで天井裏に存在する障害物との干渉を回避することができる。
【００５２】
請求項８の発明は、請求項７の発明において、取付手段は、先端に外鍔を有し後端が器具本体又は蓄電池収納部に固定されるとともに該固定面と外鍔の間に隙間が形成された突部と、蓄電池収納部又は器具本体に設けられ突部が挿入されるとともに外鍔で抜け止めされる孔部とからなることを特徴とし、突部を孔部に挿入した状態では、固定面と外鍔の間に形成された隙間によって固定面と略垂直な方向で蓄電池収納部が回動自在となり、さらに突部を支点として固定面に略平行な方向で蓄電池収納部が回動自在となり、取付手段を簡単な構成で実現することができる。
【００５３】
請求項９の発明は、請求項８の発明において、孔部は、外鍔の外径よりも大きい内径を有する大径部と、外鍔の外径よりも小さい内径を有して大径部と連通する小径部とからなることを特徴とし、大径部から外鍔を挿入した後に突部を小径部に移動させることで孔部に対して突部を抜け止めすることができ、器具本体に対する蓄電池収納部の取り付け作業が簡素化できる。
【００５４】
請求項１０の発明は、請求項１〜９の何れかの発明において、点灯装置収納部は、少なくとも天井と垂直な方向において互いに異なる複数の位置の何れかで器具本体に枢支されることを特徴とし、ランプの点灯方向が水平か垂直かによって点灯装置収納部が器具本体に枢支される位置を選択することができる。その結果、ランプの点灯方向が水平又は垂直の何れであっても点灯装置収納部の下端を天井板に当接させることができて従来例のように点灯装置収納部の下部に別の部材を設ける必要がない。
【図面の簡単な説明】
【図１】実施形態１の施工状態を示す側面図である。
【図２】同上における器具本体と蓄電池収納部の取付構造を示し、（ａ）は取付前の斜視図、（ｂ）は取付後の側面図である。
【図３】同上の施工手順を説明するための説明図である。
【図４】同上における器具本体と蓄電池収納部の他の取付構造を示し、（ａ）は取付前の斜視図、（ｂ）は取付後の側面図である。
【図５】実施形態２の要部を示す側面図である。
【図６】同上の説明図である。
【図７】実施形態３における器具本体と蓄電池収納部の取付構造を示し、（ａ）は取付前の斜視図、（ｂ）は取付後の側面図である。
【図８】実施形態４の施工状態を示す側面図である。
【図９】同上の上面図である。
【図１０】同上の要部を示す分解斜視図である。
【図１１】同上における蓄電池収納部の要部断面図である。
【図１２】同上の要部を示す側面図である。
【図１３】同上の要部を示す斜視図である。
【図１４】同上の要部の他の構成を示す分解斜視図である。
【図１５】同上における器具本体の要部の他の構成を示す断面図である。
【図１６】同上における要部の他の構成を示し、（ａ）は斜視図、（ｂ）は側面図である。
【図１７】実施形態５のランプの点灯方向を水平としたときの施工状態を示す一部破断した側面図である。
【図１８】同上のランプの点灯方向を垂直としたときの施工状態を示す一部破断した側面図である。
【図１９】従来例１の施工状態を示す側面図である。
【図２０】従来例２の施工状態を示す側面図である。
【図２１】従来例３の施工状態を示す側面図である。
【符号の説明】
１　器具本体
２　天板
５　ソケット
６　ランプ
７　天井板
１０　点灯装置収納部
１１　点灯装置
１３　蓄電池収納部
１４ａ　係止孔
１６　突起
【図１】
2004039304.tif 000003
【図２】
2004039304.tif 000004
【図３】
2004039304.tif 000005
【図４】
2004039304.tif 000006
【図５】
2004039304.tif 000007
【図６】
2004039304.tif 000008
【図７】
2004039304.tif 000009
【図８】
2004039304.tif 000010
【図９】
2004039304.tif 000011
【図１０】
2004039304.tif 000012
【図１１】
2004039304.tif 000013
【図１２】
2004039304.tif 000014
【図１３】
2004039304.tif 000015
【図１４】
2004039304.tif 000016
【図１５】
2004039304.tif 000017
【図１６】
2004039304.tif 000018
【図１７】
2004039304.tif 000019
【図１８】
2004039304.tif 000020
【図１９】
2004039304.tif 000021
【図２０】
2004039304.tif 000022
【図２１】
2004039304.tif 000023